(57)【要約】  車幅方向に複数の磁気センサが配列された車両側の磁気検出ユニット（１１）を用いて道路に敷設された磁気マーカ（１０）を検出するマーカ検出方法においては、磁気検出ユニット（１１）に作用する磁気分布における車幅方向の中心位置を検出し、磁気マーカ（１０）を車両（５）が通過する際の中心位置の位置的な変化の度合いを表す指標を処理することで外乱となる磁気発生源の存在可能性を判定し、これにより磁気マーカ（１０）の誤検出を抑制する。
2018230423.tif 000002
【特許請求の範囲】
【請求項１】
車幅方向に複数の磁気センサが配列された車両側の磁気検出ユニットを用いて道路に敷設された磁気マーカを検出するマーカ検出方法であって、
前記磁気検出ユニットに作用する車幅方向の磁気分布の中心位置を検出し、
前記磁気マーカを車両が通過する際の前記中心位置の位置的な変化の度合いを表す指標を処理することで外乱となる磁気発生源の存在可能性を判定するマーカ検出方法。
【請求項２】
請求項１において、前記磁気マーカが敷設された道路を車両が走行しているとき、前記磁気マーカを通過する毎に前記中心位置を繰り返し検出して前記中心位置の位置的な変化の度合いを表す指標を生成するマーカ検出方法。
【請求項３】
請求項１または２において、前記指標は、前記中心位置の位置的な変化量あるいは変化率であるマーカ検出方法。
【請求項４】
請求項１〜３のいずれか１項において、車両の操舵輪の舵角の変化度合い、あるいは車両に生じたヨーレイトにより前記指標を補正するマーカ検出方法。
【請求項５】
請求項１〜４のいずれか１項において、車両の操舵輪の舵角の変化度合い、あるいは車両に生じたヨーレイトの値が所定の閾値未満であるとき、前記磁気発生源の存在可能性を判定するマーカ検出方法。
【請求項６】
道路に敷設された磁気マーカを検出する車両用システムであって、
車幅方向に複数の磁気センサが配列された磁気検出ユニットと、
外乱となる磁気発生源の有無を判定する判定ユニットと、を有し、
請求項１〜５のいずれか１項のマーカ検出方法の実行により前記磁気発生源の存在可能性を判定する車両用システム。
【請求項７】
請求項６において、車両の運転を支援する制御を実行する制御ユニットを備え、該制御ユニットは、前記磁気発生源の存在可能性に応じて前記運転を支援する制御を実行するか否かを含めて制御の内容を切り替える車両用システム。
【発明の詳細な説明】
【技術分野】
【０００１】
本発明は、道路に敷設された磁気マーカを検出するためのマーカ検出方法及び車両用システムに関する。
【背景技術】
【０００２】
従来より、道路に敷設された磁気マーカを車両制御に利用するための車両用のマーカ検出システムが知られている（例えば、特許文献１参照。）。このようなマーカ検出システムを用いて、例えば道路に沿って敷設された磁気マーカを検出すれば、自動操舵制御や車線逸脱警報や自動運転など各種の運転支援を実現できる。
【先行技術文献】
【特許文献】
【０００３】
【特許文献１】特開２００５−２０２４７８号公報
【発明の概要】
【発明が解決しようとする課題】
【０００４】
しかしながら、上記従来のマーカ検出システムでは、次のような問題がある。すなわち、磁気センサ等に作用する様々な外乱磁気に起因し、磁気マーカの検出確実性が損なわれるおそれがあるという問題がある。例えば鉄製のマンホールの蓋や他の車両なども外乱磁気の発生源となり得る。【０００５】
本発明は、上記従来の問題点に鑑みてなされたものであり、誤検出を抑制するためのマーカ検出方法及び車両用システムを提供しようとするものである。
【課題を解決するための手段】
【０００６】
本発明の一態様は、車幅方向に複数の磁気センサが配列された車両側の磁気検出ユニットを用いて道路に敷設された磁気マーカを検出するマーカ検出方法であって、
前記磁気検出ユニットに作用する車幅方向の磁気分布の中心位置を検出し、
前記磁気マーカを車両が通過する際の前記中心位置の位置的な変化の度合いを表す指標を処理することで外乱となる磁気発生源の存在可能性を判定するマーカ検出方法にある。【０００７】
本発明の一態様は、道路に敷設された磁気マーカを検出する車両用システムであって、
車幅方向に複数の磁気センサが配列された磁気検出ユニットと、
外乱となる磁気発生源の有無を判定する判定ユニットと、を有し、
上記のマーカ検出方法の実行により前記磁気発生源の存在可能性を判定する車両用システムにある。
【発明の効果】
【０００８】
例えば前記磁気マーカが敷設された車線に追従して車両が走行する場合には、前記磁気検出ユニットに作用する車幅方向の磁気分布の中心位置が一定に近くなると期待できる。そして、この場合には、この車幅方向の磁気分布の中心位置の位置的な変化がゼロに近くなると予測できる。本発明に係るマーカ検出方法は、このような知見に基づいて前記磁気マーカ以外の外乱となる磁気発生源の存在可能性を判定する方法である。【０００９】
本発明に係るマーカ検出方法では、前記磁気検出ユニットに作用する車幅方向の磁気分布の中心位置の位置的な変化の度合いを表す指標を処理することで前記磁気発生源の存在可能性を判定する。そして、本発明に係る車両用システムは、このマーカ検出方法を実行することで前記磁気発生源の存在可能性を判定する。【００１０】
本発明によれば、外乱となる前記磁気発生源の存在可能性を判定することで、前記磁気マーカの誤検出を低減できる。
【図面の簡単な説明】
【００１１】
【図１】車両用システムを示す説明図。
【図２】車両用システムの構成を示すブロック図。
【図３】磁気マーカを示す図。
【図４】磁気マーカを通過する際の進行方向の磁気計測値の時間的な変化を例示する説明図。
【図５】磁気マーカを通過する際の各磁気センサによる車幅方向の磁気計測値の分布を例示する説明図。
【図６】マーカ検出処理の流れを示すフロー図。
【図７】車間制御の流れを示すフロー図。
【図８】追従対象の先行車両の選択方法の説明図。
【図９】操舵制御の流れを示すフロー図。
【図１０】外乱となる磁気発生源の判定処理の流れを示すフロー図。
【図１１】外乱となる磁気発生源が無い区間を示す図。
【図１２】外乱となる磁気発生源が有る区間を示す図。
【図１３】磁気マーカを通過する際の各磁気センサによる車幅方向の磁気計測値の他の分布を例示する説明図。
【発明を実施するための形態】
【００１２】
本発明における好適な態様について説明する。
本発明に係るマーカ検出方法において、前記磁気マーカが敷設された道路を車両が走行しているとき、前記磁気マーカを通過する毎に前記中心位置を繰り返し検出して前記中心位置の位置的な変化の度合いを表す指標を生成することも良い。
この場合には、前記磁気マーカが敷設された道路を車両が走行しているとき、外乱となる前記磁気発生源の存在可能性を効率良く判定できる。
【００１３】
本発明において、前記指標は、前記中心位置の位置的な変化量あるいは変化率であると良い。
前記磁気マーカの近傍に外乱となる前記磁気発生源が有る場合には、前記中心位置の位置的な変化量あるいは変化率の値が大きくなる可能性が高い。例えば変化量あるいは変化率に関する閾値処理を実行することで、前記磁気発生源の有無を判定することも可能である。
【００１４】
本発明に係るマーカ検出方法において、車両の操舵輪の舵角の変化度合い、あるいは車両に生じたヨーレイトにより前記指標を補正すると良い。
例えば車両側で急激な操舵が行われた場合には、前記磁気発生源が無くても、前記中心位置の位置的な変化の度合いが拡大する可能性が高い。そこで、前記舵角の変化度合い、あるいは前記ヨーレイトにより前記指標を補正すれば、例えば急激な操舵が行われた場合であっても前記磁気発生源に関する誤判定を回避できる。
【００１５】
本発明に係るマーカ検出方法において、車両の操舵輪の舵角の変化度合い、あるいは車両に生じたヨーレイトの値が所定の閾値未満であるとき、前記磁気発生源の存在可能性を判定することも良い。
前記舵角の変化度合いあるいは前記ヨーレイトの値が所定の閾値以上であるような場合には、車両が進路を変更している最中である可能性が高い。このような走行状況では、前記磁気発生源を精度高く判定できないおそれがある。前記舵角の変化度合いあるいは前記ヨーレイトの値が所定の閾値未満のときに前記磁気発生源の存在可能性を判定すれば、判定精度を高く維持できる。
【００１６】
本発明に係る車両用システムは、車両の運転を支援する制御を実行する制御ユニットを備え、該制御ユニットは、前記磁気発生源の存在可能性に応じて前記運転を支援する制御を実行するか否かを含めて制御の内容を切り替えると良い。
前記磁気発生源の存在可能性に応じて制御の内容を切り替えれば、前記磁気マーカ以外の前記磁気発生源に起因して制御が不安定に陥るおそれを未然に回避できる。
【実施例】
【００１７】
本発明の実施の形態につき、以下の実施例を用いて具体的に説明する。
（実施例１）
本例は、道路に敷設された磁気マーカ１０を検出するためのマーカ検出方法及び車両用システム１に関する例である。この内容について、図１〜図１３を用いて説明する。【００１８】
本例のマーカ検出方法は、図１及び図２のごとく、車幅方向に複数の磁気センサＣｎ（ｎは１〜１５の整数）が配列されたセンサユニット１１を用いて磁気マーカ１０を検出する方法である。このマーカ検出方法では、磁気マーカ１０を検出するマーカ検出処理に加えて、磁気マーカ１０以外の外乱となる磁気発生源の存在可能性を判定するための判定処理が行われる。【００１９】
外乱となる磁気発生源の存在可能性の判定処理では、センサユニット１１を用いて車幅方向の磁気分布が取得され、この車幅方向の磁気分布の中心位置が検出される。そして、磁気マーカ１０を車両５が通過する際の車幅方向の磁気分布の中心位置の位置的な変化の度合いを表す指標が処理されて外乱となる磁気発生源の存在可能性が判定される。【００２０】
車両用システム１は、上記のマーカ検出方法を実行して磁気マーカ１０を検出し、磁気マーカ１０が敷設された車線１００に追従して車両５を自動走行させる運転支援システムの例である。
この車両用システム１は、磁気センサＣｎを備えるセンサユニット１１のほか、検出ユニット１２を含めて構成されている。検出ユニット１２は、センサユニット１１から磁気分布データを取り込み各種の演算処理を実行するユニットである。検出ユニット１２は、上記のマーカ検出処理のほか、磁気マーカ１０以外の外乱となる磁気発生源の有無を判定する上記の判定処理等を実行する。【００２１】
車両用システム１は、上記のセンサユニット１１及び検出ユニット１２に加えて、先行車両との距離等を計測する前方検知ユニット４２、外部制御が可能な操舵ユニット４５やエンジンスロットルユニット４６やブレーキコントロールユニット４７、各ユニットを制御する制御ユニット４１等を備えている。【００２２】
操舵ユニット４５は、車両５の操舵輪の操舵角（舵角）を制御するユニットである。操舵ユニット４５は、操舵角センサを備えており、操舵角を計測して外部出力可能である。エンジンスロットルユニット４６は、エンジンに燃料を送り込むスロットル開度の制御によりエンジン出力を調節するユニットである。ブレーキコントロールユニット４７は、ブレーキシステムの作動流体の液圧等を制御することで制動力を調節するユニットである。【００２３】
以下、磁気マーカ１０を概説した後、前方検知ユニット４２、センサユニット１１、検出ユニット１２、及び制御ユニット４１について順番に説明する。
（磁気マーカ）
磁気マーカ１０は、車両５が走行する道路の路面１００Ｓ（図１参照。）に敷設される道路マーカである。磁気マーカ１０は、左右のレーンマークで区分された車線１００の中央に沿って例えば３ｍ間隔で配列されている。【００２４】
磁気マーカ１０は、図３のごとく、直径２０ｍｍ、高さ２８ｍｍの柱状をなし、路面１００Ｓに設けた孔に収容された状態で敷設される。磁気マーカ１０をなす磁石は、磁性材料である酸化鉄の磁粉を基材である高分子材料中に分散させたフェライトプラスチックマグネットであり、最大エネルギー積（ＢＨｍａｘ）＝６．４ｋＪ／ｍ３という特性を備えている。【００２５】
本例の磁気マーカ１０の仕様の一部を表１に示す。
【表１】
2018230423.tif 000003
【００２６】
この磁気マーカ１０は、センサユニット１１の取付け高さとして想定する範囲１００〜２５０ｍｍの上限の高さ２５０ｍｍにおいて、８μＴ（マイクロテスラ）の磁束密度の磁気を作用できる。なお、磁気マーカ１０をなす磁石の表面磁束密度Ｇｓは４５ｍＴ（ミリテスラ）となっている。【００２７】
（前方検知ユニット）
図２の前方検知ユニット４２は、レーザ光を利用して対象物までの距離を計測するユニットである。図示は省略するがこの前方検知ユニット４２は、レーザ光の発光部と、反射光の受光部と、発光から反射光を受光するまでの遅延時間を計測する計時部と、を含めて構成されている。発光部は、レーザ光の出射方向を変更するためのポリゴンミラー（回転多面鏡）を備えている。【００２８】
ポリゴンミラーによる出射方向の変更範囲は、水平方向±１５度の範囲となっている。前方検知ユニット４２は、このようにレーザ光の方向を変更することで１次元的なラインスキャンが可能である。前方検知ユニット４２は、水平方向±１５度の１次元範囲の各位置について上記の遅延時間を計測し、この範囲に存在する物体までの距離を特定する。【００２９】
前方検知ユニット４２は、出射方向の中心軸が車両５の前後方向に一致するように取り付けられる。車載状態の前方検知ユニット４２は、車両５の正面側の水平方向±１５度の１次元範囲に属する各位置に対して距離データがひも付けられた距離情報を生成して出力する。【００３０】
（センサユニット）
センサユニット１１（図１及び図２）は、車両５の底面に取り付けられる磁気検出ユニットである。センサユニット１１は、例えば、フロントバンパーの内側に取り付けられる。本例の車両５の場合、路面１００Ｓを基準とした取付け高さが２００ｍｍとなっている。【００３１】
センサユニット１１は、車幅方向に沿って１０ｃｍ間隔で配列された１５個の磁気センサＣｎと、出力データを生成するデータ生成回路１１０と、を備えている（図２参照。）。センサユニット１１は、１５個の磁気センサＣｎのうちの中央の磁気センサＣ８が車両５の車幅方向の中心に位置するように車載されている。【００３２】
データ生成回路１１０は、磁気センサＣｎの磁気計測値の車幅方向の磁気分布データを生成して外部出力する回路である。データ生成回路１１０は、各磁気センサＣｎを同期して動作させた後、各磁気センサＣｎの磁気計測値を順番に読み出して車幅方向の磁気分布データを生成するように構成されている。【００３３】
磁気センサＣｎは、アモルファスワイヤなどの感磁体のインピーダンスが外部磁界に応じて敏感に変化するという公知のＭＩ効果（Magnet Impedance Effect）を利用して磁気を計測するＭＩセンサである。磁気センサＣｎは、直交する２方向の磁気成分の大きさを検出可能に構成されている。センサユニット１１では、車両５の進行方向及び車幅方向の磁気成分を感知するように磁気センサＣｎが組み込まれている。したがって、データ生成回路１１０が生成する車幅方向の磁気分布データとしては、以下の２種類の車幅方向の磁気分布データがある。【００３４】
（第１の磁気分布データ）
センサユニット１１を構成する各磁気センサＣｎの進行方向の磁気計測値の分布である磁気分布データ。
（第２の磁気分布データ）
センサユニット１１を構成する各磁気センサＣｎの車幅方向の磁気計測値の分布である磁気分布データ。【００３５】
磁気センサＣｎは、磁束密度の測定レンジが±０．６ｍＴであって、測定レンジ内の磁束分解能が０．０２μＴという高い感度を実現している。上記のように磁気マーカ１０は、センサユニット１１の取付け高さとして想定される範囲の上限である高さ２５０ｍｍにおいて８μＴ程度の磁気を作用する。磁束分解能が０．０２μＴの磁気センサＣｎによれば、磁気マーカ１０の磁気を確実性高く感知できる。【００３６】
磁気センサＣｎの仕様の一部を表２に示す。
【表２】
2018230423.tif 000004
【００３７】
（検出ユニット）
検出ユニット１２は、センサユニット１１が出力する車幅方向の磁気分布データを取得して各種の演算処理を実行する演算ユニットである。検出ユニット１２は、演算処理を実行するＣＰＵ（central processing unit）のほか、ＲＯＭ（read only memory）やＲＡＭ（random access memory）などのメモリ素子等を含んで構成されている。【００３８】
検出ユニット１２は、センサユニット１１から取得する上記の第１及び第２の磁気分布データについて各種の演算処理を実施する。演算処理としては、磁気マーカ１０を検出するためのマーカ検出処理のほか、外乱となる磁気発生源の存在可能性を判定する判定処理等がある。【００３９】
マーカ検出処理では、進行方向の磁気計測値の分布である前記第１の磁気分布データを利用して磁気マーカ１０が検出されると共に、車幅方向の磁気計測値の分布である前記第２の磁気分布データを利用して磁気マーカ１０に対する車両５の横ずれ量が検出される。
判定処理では、上記の第２の磁気分布データを利用して外乱となる磁気発生源の有無が判定される。
検出ユニット１２は、これらの処理の結果を反映したマーカ検出情報を制御ユニット４１に向けて出力する。【００４０】
（制御ユニット）
制御ユニット４１は、磁気マーカ１０が敷設された車線１００に沿って車両５を走行させるための車線追従制御を実行するユニットである。制御ユニット４１は、前方検知ユニット４２の距離情報、操舵ユニット４５が出力する操舵角、検出ユニット１２のマーカ検出情報などの取得情報に基づいて車線追従制御を実行する。【００４１】
制御ユニット４１は、上記の取得情報に基づいて操舵ユニット４５やエンジンスロットルユニット４６やブレーキコントロールユニット４７などを制御し、先行車両との車間距離を保持しつつ車線１００に追従して車両５を自動走行させる。なお、制御ユニット４１は、外乱となる磁気発生源が有る旨の判定情報がマーカ検出情報に含まれる場合、車線追従制御の内容を切り替え、これにより誤制御を回避する。【００４２】
次に、磁気マーカ１０を検出する（１）マーカ検出処理、及び車線１００に追従して車両５を自動走行させるための（２）車線追従制御について説明する。さらに、磁気マーカ１０以外の（３）外乱となる磁気発生源の有無の判定処理、及び磁気発生源が有ると判定されたときの（４）外乱作用下の車線追従制御の内容について説明する。【００４３】
（１）マーカ検出処理
マーカ検出処理は、センサユニット１１から前記第１及び第２の磁気分布データを取得して検出ユニット１２が実行する処理である。
ここでマーカ検出処理による磁気マーカ１０の検出方法について簡単に説明しておく。上記のごとく、磁気センサＣｎは、車両５の進行方向及び車幅方向の磁気成分を計測するように構成されている。例えばいずれかの磁気センサＣｎが、進行方向に移動して磁気マーカ１０の真上を通過するとき、進行方向の磁気計測値は、図４のごとく磁気マーカ１０の前後で正負が反転すると共に、磁気マーカ１０の真上の位置でゼロを交差するように変化する。したがって、車両５の走行中では、いずれかの磁気センサＣｎが検出する進行方向の磁気について、その正負が反転するゼロクロスＸ１が生じたとき、センサユニット１１が磁気マーカ１０の真上に位置すると判断できる。【００４４】
また例えば、磁気センサＣｎと同じ仕様の磁気センサについて、磁気マーカ１０の真上を通過する車幅方向の仮想線に沿う移動を想定してみる。この磁気センサによる車幅方向の磁気計測値は、磁気マーカ１０を挟んだ両側で正負が反転すると共に、磁気マーカ１０の真上の位置でゼロを交差するように変化する。１５個の磁気センサＣｎを車幅方向に配列したセンサユニット１１の場合には、図５のごとく、磁気マーカ１０を介してどちらの側にあるかによって磁気センサＣｎが検出する車幅方向の磁気の正負が異なってくる。【００４５】
つまり、図５の磁気分布データ中のゼロクロスＸ２の位置が磁気マーカ１０の真上の位置となる。例えば同図の場合、磁気センサＣ９とＣ１０との中間辺りのＣ９．５のゼロクロスＸ２の位置が磁気マーカ１０の真上の位置（以下、磁気マーカ１０の位置という。）となる。ここで、上記のごとくセンサユニット１１では、隣り合う磁気センサＣｎの間隔が１０ｃｍであると共に、磁気センサＣ８が車両５の車幅方向の中心となっている。したがって、図５の場合であれば、車両５の車幅方向の中心を基準として右側に（９．５−８）×１０ｃｍ＝１５ｃｍずれた位置が磁気マーカ１０の位置となる。【００４６】
なお、例えば車幅方向において車両５が左側に寄って走行すると、センサユニット１１に相対して磁気マーカ１０が右側にずれて、例えば図５のごとくゼロクロスＸ２の位置が磁気センサＣ８よりも右側の正値となる。車両５が右側に寄ったときの横ずれ量を正側とし左側に寄ったときの横ずれ量を負側とすると、例えば図５の場合には、磁気マーカ１０の位置である上記の（９．５−８）×１０ｃｍ＝１５ｃｍの正負を反転した（−１５）ｃｍが車両５の横ずれ量となる。【００４７】
次に、図６を参照してマーカ検出処理の流れを説明する。
検出ユニット１２は、上記第１の磁気分布データを構成する磁気センサＣｎの進行方向の磁気計測値を取得する（Ｓ１０１）。そして、少なくともいずれかの磁気センサＣｎの進行方向の磁気計測値の経時変化を対象として、図４のＸ１に相当するゼロクロスの検出を試みる（Ｓ１０２）。検出ユニット１２は、このゼロクロスを検出するまで（Ｓ１０２：ＮＯ）、磁気センサＣｎの進行方向の磁気計測値を繰り返し取得する（Ｓ１０１）。【００４８】
検出ユニット１２は、進行方向の磁気計測値の経時変化につき図４のＸ１に相当するゼロクロスを検出できたとき（Ｓ１０２：ＹＥＳ）、磁気マーカ１０の真上にセンサユニット１１が位置していると判断する。なお、磁気マーカ１０の検出判断については、図４のＸ１に相当するゼロクロスの検出に加えて、進行方向の磁気計測値の経時変化の割合、すなわち磁気計測値の微分値（差分値）の大きさが所定の閾値以上であるという条件が設定されている。【００４９】
検出ユニット１２は、図４のＸ１に相当するゼロクロスの検出に応じて磁気マーカ１０を検出できたとき、磁気センサＣｎが同じタイミングで計測した車幅方向の磁気計測値の分布を表す上記の第２の磁気分布データを取得する（Ｓ１０３）。【００５０】
検出ユニット１２は、磁気センサＣｎの車幅方向の磁気計測値の分布である上記の第２の磁気分布データについて、図５のＸ２に相当するゼロクロスの車幅方向の位置を特定する（Ｓ１０４）。そして、このゼロクロスの車幅方向の位置に基づいて、磁気マーカ１０に対する車両５の車幅方向の横ずれ量を特定する（Ｓ１０５）。具体的には、検出ユニット１２は、図５のＸ２に相当するゼロクロスの車幅方向の位置を示す値の正負を反転し、車幅方向の横ずれ量とする。【００５１】
（２）車線追従制御
車線追従制御では、通常、図７の車間制御と図９の操舵制御とが並行して実行される。
車間制御を実行する制御ユニット４１は、図７のごとく、操舵ユニット４５の操舵角や車速等の車両情報を取得し、予測される車両５の進路Ｒ（図８）を推定する演算を実行する（Ｓ２０１）。【００５２】
制御ユニット４１は、前方検知ユニット４２の距離情報を取得し、進路Ｒ上に物体が存在するか否かを判断する（Ｓ２０２）。図８のごとく進路Ｒに物体が存在していれば（Ｓ２０２：ＹＥＳ）、この物体を追従対象の先行車両として選択する。そして、この先行車両にひも付けされた距離データを上記の距離情報から読み取り、車間距離として特定する（Ｓ２０３）。なお、先行車両の選択に際しては、その物体の距離の経時変化から静止物であるか移動物であるかの判定を行い、移動物であることを前提として先行車両の選択を行うと良い。【００５３】
制御ユニット４１は、先行車両との車間距離を予め設定された目標車間距離と比較する（Ｓ２０４）。そして、制御ユニット４１は、目標車間距離に対する実際の車間距離の偏差をゼロに近づけるようにエンジンスロットルユニット４６やブレーキコントロールユニット４７等を制御し、エンジン出力や制動力を調節する（Ｓ２０５）。【００５４】
一方、自車線に先行する車両が存在せず先行車両がない場合には（Ｓ２０２：ＮＯ）、予めセットされた目標車速が設定される（Ｓ２１３）。制御ユニット４１は、この目標車速を実現できるようにエンジンスロットルユニット４６等を制御し、エンジン出力等を調節する（Ｓ２０５）。【００５５】
次に、操舵制御を実行する制御ユニット４１は、図９のごとく、検出ユニット１２から取得したマーカ検出情報を参照して磁気マーカ１０が検出されたか否かを判断する（Ｓ３０１）。磁気マーカ１０が検出された場合には（Ｓ３０１：ＹＥＳ）、制御ユニット４１は、マーカ検出情報に含まれる横ずれ量を取得する（Ｓ３０２）。【００５６】
制御ユニット４１は、操舵ユニット４５が出力する操舵角、及びマーカ検出情報に含まれる横ずれ量に基づき、横ずれ量をゼロに近づけるための目標操舵角を演算する（Ｓ３０３）。そして、制御ユニット４１は、操舵輪の操舵角を目標操舵角に一致させるように操舵ユニット４５を制御し（Ｓ３０４）、これにより磁気マーカ１０が敷設された車線に追従する車両５の自動走行を実現する。【００５７】
（３）判定処理
図１０の判定処理は、磁気マーカ１０以外の外乱となる磁気発生源の存在可能性を判定するために検出ユニット１２（判定ユニットの一例。）が実行する処理である。この判定処理では、センサユニット１１に作用する車幅方向の磁気分布の中心位置の位置的な変化の度合いを表す指標に基づいて外乱となる磁気発生源の存在可能性が判定される。【００５８】
なお、本例では、磁気マーカ１０が道路の方向に沿って一列をなすように敷設されている。したがって、外乱となる磁気発生源が存在しない場合には、車幅方向の磁気分布の中心位置が磁気マーカ１０の位置に一致する。つまり、車幅方向の磁気分布の中心位置は、磁気マーカ１０の位置に対応する図５のゼロクロスＸ２に相当する位置となる。【００５９】
検出ユニット１２は、操舵ユニット４５から一定の時間周期で取得する操舵角の変化量が閾値以内のとき（Ｓ４０１：ＹＥＳ）、次に説明するステップＳ４０２以降の処理を実行して外乱となる磁気発生源の存在可能性を判定する処理を実行する。一方、急なハンドル操作が行われる等により操舵角の変化量が閾値を超えている場合には（Ｓ４０１：ＮＯ）、車線変更等の進路変更の最中である可能性が高いとしてステップＳ４０２以降の処理が迂回される。【００６０】
判定処理を実行するに当たって、検出ユニット１２は、まず、各磁気センサＣｎの車幅方向の磁気計測値の分布である上記第２の磁気分布データを取得する（Ｓ４０２）。なお、第２の磁気分布データを取得する周期は、センサユニット１１の各磁気センサＣｎの検出周期と同じ３ｋＨｚである。そして、検出ユニット１２は、各磁気センサＣｎの車幅方向の磁気計測値が離散的に分布するこの第２の磁気分布データについて近似曲線を演算し、その近似曲線がゼロを交差するゼロクロス（図５中のＸ２に相当）を特定する（Ｓ４０３）。【００６１】
検出ユニット１２は、中央の磁気センサＣ８の位置を基準として、図５のＸ２に相当するゼロクロスまでの距離Ｇｃを演算し、車幅方向の磁気分布の中心位置として特定する（Ｓ４０４）。例えば図５に例示の場合であれば、図５のＸ２に相当するゼロクロスの位置がＣ９とＣ１０との中間辺りのＣ９．５に相当する位置となっている。上記のように磁気センサＣ９とＣ１０の間隔は１０ｃｍであるから、車幅方向の磁気分布の中心位置を表す距離Ｇｃは、中央に位置するＣ８を基準として正値の（９．５−８）×１０ｃｍ＝１５ｃｍとなる。なお、以下の説明では、車幅方向の磁気分布の中心位置を表す距離Ｇｃを単に中心位置Ｇｃという。【００６２】
検出ユニット１２は、上記第２の磁気分布データの取り込み周期毎に上記の中心位置Ｇｃを演算する。そして、１００周期前の中心位置Ｇｃと、今回の周期で特定された中心位置Ｇｃと、の差分を、中心位置の時間的な変化量として算出する（Ｓ４０５）。検出ユニット１２は、さらに、車速を取得して１００周期中の走行距離を特定し、上記の差分を走行距離で除算することで、車幅方向の磁気分布の中心位置の変化度合を表す指標の１例である中心位置の変化率（％）を求める（Ｓ４０６）。【００６３】
検出ユニット１２は、中心位置の変化率（％）について閾値処理を実行し（Ｓ４０７）、この変化率が閾値よりも大きいとき（Ｓ４０７：ＹＥＳ）、外乱となる磁気発生源が有ると判定する（Ｓ４０８）。一方、変化率が閾値以下であれば（Ｓ４０７：ＮＯ）、外乱となる磁気発生源がないと判定する（Ｓ４１８）。【００６４】
ここで、上記の中心位置Ｇｃの変化率に基づく判定の考え方を図１１、図１２を参照して説明する。これらの図は、磁気マーカ１０が配列された車線を示している。図１１は、外乱となる磁気発生源が無い区間を示し、図１２は、磁気マーカ１０以外に外乱となる磁気発生源が有る区間を示している。なお、これらの図では、車線の図示を省略している。【００６５】
図１１及び図１２中の破線は、車幅方向の磁気分布の中心位置を結ぶラインＬを示している。図１１の区間では、磁気マーカ１０以外の外乱となる磁気発生源が無いため、ラインＬが磁気マーカ１０に沿っている。一方、図１２の区間のように例えば鉄製のマンホールなど外乱となる磁気発生源６０が磁気マーカ１０の近傍に有る場合には、この磁気発生源の磁界に引っ張られて前記中心位置を結ぶラインＬが湾曲変形する。【００６６】
外乱となる磁気発生源が無い図１１の区間では、ラインＬの曲率が道路の曲率と同程度となる。一方、外乱となる磁気発生源が有る図１２の区間では、ラインＬが上記のように湾曲変形し、この湾曲変形箇所においては、ラインＬの曲率が道路の曲率を超えた小さな値となる可能性が高い。例えば高速道路等であれば、ラインＬの曲率が、高速道路の設計上の曲率の範囲を超えるような小さな値となる可能性がある。【００６７】
図１１の区間を車両が通過する際、磁気マーカ１０に沿って車両が走行すれば、上記の中心位置の時間的な変化量はゼロに近くなり、上記ステップＳ４０６で算出する変化率がゼロに近づくはずである。一方、図１２の区間において、磁気マーカ１０に沿って車両が走行する場合、上記の湾曲変形箇所に車両が到達すると、車両側で特定する車幅方向の磁気分布の中心位置が車幅方向に変動する。このときには、車幅方向の磁気分布の中心位置の時間的な変化量が拡大し、これにより上記の変化率が大きな値となる。本例の判定処理は、外乱となる磁気発生源の近傍で上記の変化率が大きな値となる傾向にあることに着目して磁気発生源を検出しようとする処理である。【００６８】
例えば、車両が時速１００ｋｍで走行する際、１秒間の走行距離は約２７．７ｍである。このとき、３ｋＨｚ周期でサンプリングする際の１００周期中の移動距離である上記の図１０中のＳ４０６の距離は、おおよそ０．９２ｍ（２７．７÷３０）となる。例えば、車両が０．９２ｍ走行する間の中心位置の変化量の限度を１０ｃｍとすれば、上記の図１０のＳ４０７の閾値としては、例えば、１１％（０．１÷０．９２）を設定できる。なお、Ｓ４０７の閾値としては、例えば１％〜１５％の範囲のいずれかの値を設定すると良い。
中心位置の時間的な変化量として、１００周期前の中心位置と、今回の周期で特定された中心位置と、の差分を例示したが、差分の対象は、１００周期前の中心位置には限定されない。５０周期前の中心位置や１０周期前の中心位置や１周期前の中心位置等を差分の対象にしても良い。【００６９】
さらに、車両の操舵輪の操舵角の変化量などの変化度合い、あるいは車両に生じたヨーレイトによって、図１０のＳ４０７の閾値処理の対象である変化率（指標）を補正することも良い。例えば、上記の操舵角の変化量あるいはヨーレイトが閾値（図１０のＳ４０１の閾値よりも小さい別の閾値。）よりも大きいときには、上記の変化率に１未満の補正係数を掛け合わせ、その値が小さくなるように補正することも良い。操舵角が大きく変化したときや、車両にヨーレイトが生じている場合には、外乱となる磁気発生源が存在しない状況であっても前記変化率が大きくなり、外乱有（Ｓ４０８）の誤判定が発生し易くなる傾向がある。上記のように補正係数を掛け合わせて変化率（指標）を補正すれば、操舵角の変化等に起因して変化率が大きくなる傾向を抑制できる。また、操舵角の変化度合いやヨーレイト等が大きくなるほど、上記の補正係数の値を小さくする等、可変係数を採用しても良い。【００７０】
（４）外乱作用下の車線追従制御
制御ユニット４１は、外乱となる磁気発生源が有る旨の判定結果を含むマーカ検出情報を検出ユニット１２から取り込んだとき、車線追従制御の内容を通常の制御から外乱作用下の制御に切り換える。【００７１】
外乱作用下の制御と通常の制御との違いは、操舵角の計測値及び磁気マーカ１０に対する横ずれ量に基づいて目標操舵角を演算する際の制御ゲインの設定にある。外乱作用下の制御では、通常の制御と比べて制御ゲインが１／２に変更される。これにより、図１２のように外乱となる磁気発生源による分布中心の湾曲が生じた場合であっても、車両５の制御に対する影響度合いが抑制される。【００７２】
なお、外乱となる磁気発生源が有る旨の判定がなされたとき、操舵制御を中止することも良い。この場合には、車線追従制御を一旦中断する旨の表示を例えば運転席の表示パネル等に表示することで運転者にハンドル操作を委ねると良い。なお、車間制御については、操舵角の計測値と前方検知ユニット４２による距離情報に基づいてそのまま継続しても良い。【００７３】
以上のように本例のマーカ検出方法は、車両５側に作用する車幅方向の磁気分布の中心位置に着目し、外乱となる磁気発生源の有無を判定しようとする方法である。磁気マーカ１０が敷設された道路に追従して車両５が走行するとき、磁気マーカ１０以外の磁気発生源が無ければ、車幅方向の磁気分布の中心位置が一定に近くなる。一方、磁気マーカ１０以外の外乱となる磁気発生源が有れば、車両５側に作用する車幅方向の磁気分布に乱れが生じて、車幅方向の磁気分布の中心位置にずれが生じる可能性が高い。このように車幅方向の磁気分布の中心位置に着目すれば、外乱となる磁気発生源の有無を確実性高く判定できる。【００７４】
また、上記のマーカ検出方法を実行する車両用システム１は、外乱となる磁気発生源の有無に応じて車線に追従して車両５を自動走行させる際の制御を切り替える。外乱となる磁気発生源が有ると判定されたときには、制御ゲインを小さくして車両５側の反応を緩慢にすることで外乱となる磁気発生源に起因する挙動の乱れを抑制している。【００７５】
なお、本例では、外乱となる磁気発生源の有無を判定するための指標として車幅方向の磁気分布の中心位置の時間的な変化率を例示している。この変化率に代えて、車幅方向の磁気分布の中心位置の時間的な変化量を指標として利用し、外乱となる磁気発生源の有無を判定することも良い。【００７６】
本例では、操舵角の変化量が閾値を超える場合に、外乱となる磁気発生源の有無の判定処理が実行されないように構成している。操舵角の変化量に代えて、車両の生じたヨーレイトを設定しても良い。ヨーレイトが閾値よりも大きい場合には、車線変更などを行うために運転者の意図的なハンドル操作が行われている可能性が高いことから、外乱となる磁気発生源の有無の判定処理に不適と判断すると良い。ヨーレイトについて例えば大小２つの閾値を設定し、ヨーレイトが小さい閾値よりも大きく、かつ、大きい閾値未満の場合には、上記の補正係数を用いて変化率を補正する一方、ヨーレイトが大きい閾値以上となった場合には、判定処理をキャンセルする等の運用であっても良い。【００７７】
先行車両の車幅方向の相対変位等を利用して車両用システム１が前方道路の曲率を推定することも良い。推定された曲率に応じて、判定処理を行うか否かを判断するための上記のステップＳ４０１の操舵角の変化量の閾値を変更することも良い。例えば、推定した曲率が直線道路を表す大きな値のときは、ハンドル操作がほとんど行われないことが予測されることから、操舵角の変化量の閾値を小さくすると良い。一方、推定した曲率がカーブを表す値のときには、進路方向を変更するためのハンドル操作が予想されることから、操舵角の変化量の閾値を若干大きくすると良い。前方道路の曲率のデータを取得可能なナビゲーション装置が車両５に搭載されていれば、前方道路の曲率に応じて上記のステップＳ４０１の操舵角の変化量の閾値を変更することも良い。【００７８】
本例では、外乱となる磁気発生源の存在可能性として、その有無を判定するが、これに代えて、例えば１００％、６０％、２０％など、外乱となる磁気発生源の存在可能性を確率的に表すことも良い。あるいは、レベル１０を上限として、レベル２、レベル５、レベル９など、存在可能性を度数などにより表すことも良い。存在可能性としては、上記の変化率や変化量などの指標の値を確率的な数値あるいは度数に置き換えることも良い。【００７９】
磁気発生源の存在可能性を確率的な数値あるいは度数によって表す場合の車線追従制御については、度数等によって制御ゲインを段階的に変更することも良い。あるいは、度数等に対する閾値処理により、度数が閾値以下であれば車線追従制御を実行する一方、度数が閾値を超えるときには車線追従制御を中断する等の制御であっても良い。【００８０】
本例では、車両の進行方向及び車幅方向に感度を有する磁気センサＣｎを採用している。これに代えて、鉛直方向や進行方向や車幅方向の１軸方向に感度を持つ磁気センサであっても良く、車幅方向と鉛直方向の２軸方向や、進行方向と鉛直方向の２軸方向に感度を持つ磁気センサであっても良く、車幅方向と進行方向と鉛直方向の３軸方向に感度を持つ磁気センサであっても良い。【００８１】
例えば鉛直方向に感度を有する磁気センサＣｎが車幅方向に配列されたセンサユニットを採用する場合、図１３に例示するように、磁気マーカの真上が磁気計測値の最大値となると共に、この真上から車幅方向に離れるにつれて磁気計測値が次第に小さくなる正規分布のような線対称の磁気分布が得られる。同図のように正規分布をなしゼロクロスが現れない線対称の磁気分布については、最大値の位置であるピーク点Ｐを磁気分布の中心位置として取り扱うと良い。【００８２】
本例では、直径２０ｍｍ、高さ２８ｍｍの柱状の磁気マーカ１０を例示したが、例えば厚さ１〜５ｍｍで直径８０〜１２０ｍｍ程度のシート状の磁気マーカを採用することもできる。この磁気マーカの磁石としては、例えば、事務用あるいはキッチン等で利用されるマグネットシートに似通った磁石であるフェライトラバーマグネット等を採用すると良い。【００８３】
以上、実施例のごとく本発明の具体例を詳細に説明したが、これらの具体例は、特許請求の範囲に包含される技術の一例を開示しているにすぎない。言うまでもなく、具体例の構成や数値等によって、特許請求の範囲が限定的に解釈されるべきではない。特許請求の範囲は、公知技術や当業者の知識等を利用して上記具体例を多様に変形、変更あるいは適宜組み合わせた技術を包含している。
【符号の説明】
【００８４】
１  車両用システム
１０  磁気マーカ
１００  車線
１１  センサユニット（磁気検出ユニット）
１１０  データ生成回路
１２  検出ユニット（判定ユニット）
４１  制御ユニット
４２  前方検知ユニット
５  車両
Ｃｎ  磁気センサ（ｎは１〜１５の整数）
【図１】
2018230423.tif 000005
【図２】
2018230423.tif 000006
【図３】
2018230423.tif 000007
【図４】
2018230423.tif 000008
【図５】
2018230423.tif 000009
【図６】
2018230423.tif 000010
【図７】
2018230423.tif 000011
【図８】
2018230423.tif 000012
【図９】
2018230423.tif 000013
【図１０】
2018230423.tif 000014
【図１１】
2018230423.tif 000015
【図１２】
2018230423.tif 000016
【図１３】
2018230423.tif 000017
【手続補正書】
【提出日】平成31年4月11日(2019.4.11)
【手続補正１】
【補正対象書類名】特許請求の範囲
【補正対象項目名】全文
【補正方法】変更
【補正の内容】
【特許請求の範囲】
【請求項１】
車幅方向に複数の磁気センサが配列された車両側の磁気検出ユニットを用いて道路に敷設された磁気マーカを検出するマーカ検出方法であって、
前記磁気マーカを検出したか否かに関わらず、前記磁気検出ユニットに作用する車幅方向の磁気分布の中心位置を繰り返し検出し、
車両の走行に応じた前記中心位置の位置的な変化の度合いを表す指標を処理することで外乱となる磁気発生源の存在可能性を判定するマーカ検出方法。
【請求項２】
請求項１において、前記指標は、前記中心位置の位置的な変化量、あるいは車両の走行距離に対する前記変化量の比率を示す変化率であるマーカ検出方法。
【請求項３】
請求項１または２において、車両の操舵輪の舵角の変化度合いにより前記指標を補正するマーカ検出方法。
【請求項４】
請求項１〜３のいずれか１項において、車両に生じたヨーレイトにより前記指標を補正するマーカ検出方法。
【請求項５】
請求項１〜４のいずれか１項において、車両の操舵輪の舵角の変化度合いを表す値が所定の閾値未満であるとき、前記磁気発生源の存在可能性を判定するマーカ検出方法。
【請求項６】
請求項１〜５のいずれか１項において、車両に生じたヨーレイトの値が所定の閾値未満であるとき、前記磁気発生源の存在可能性を判定するマーカ検出方法。
【請求項７】
道路に敷設された磁気マーカを検出する車両用システムであって、
車幅方向に複数の磁気センサが配列された磁気検出ユニットと、
外乱となる磁気発生源の有無を判定する判定ユニットと、を有し、
請求項１〜６のいずれか１項のマーカ検出方法の実行により前記磁気発生源の存在可能性を判定する車両用システム。
【請求項８】
請求項７において、車両の運転を支援する制御を実行する制御ユニットを備え、該制御ユニットは、前記磁気発生源の存在可能性に応じて前記運転を支援する制御を実行するか否かを含めて制御の内容を切り替える車両用システム。
【手続補正２】
【補正対象書類名】明細書
【補正対象項目名】０００２
【補正方法】変更
【補正の内容】
【０００２】
前記磁気マーカを検出したか否かに関わらず、前記磁気検出ユニットに作用する車幅方向の磁気分布の中心位置を繰り返し検出し、
車両の走行に応じた前記中心位置の位置的な変化の度合いを表す指標を処理することで外乱となる磁気発生源の存在可能性を判定するマーカ検出方法。
［０００７］
本発明の一態様は、道路に敷設された磁気マーカを検出する車両用システムであって、
車幅方向に複数の磁気センサが配列された磁気検出ユニットと、
外乱となる磁気発生源の有無を判定する判定ユニットと、を有し、
上記のマーカ検出方法の実行により前記磁気発生源の存在可能性を判定する車両用システムにある。
発明の効果
［０００８］
例えば前記磁気マーカが敷設された車線に追従して車両が走行する場合には、前記磁気検出ユニットに作用する車幅方向の磁気分布の中心位置が一定に近くなると期待できる。そして、この場合には、この車幅方向の磁気分布の中心位置の位置的な変化がゼロに近くなると予測できる。本発明に係るマーカ検出方法は、このような知見に基づいて前記磁気マーカ以外の外乱となる磁気発生源の存在可能性を判定する方法である。
［０００９］
本発明に係るマーカ検出方法では、前記磁気検出ユニットに作用する車幅方向の磁気分布の中心位置の位置的な変化の度合いを表す指標を処理することで前記磁気発生源の存在可能性を判定する。そして、本発明に係る車両用システムは、このマーカ検出方法を実行することで前記磁気発生源の存在可能性を判定する。
［００１０］
本発明によれば、外乱となる前記磁気発生源の存在可能性を判定することで、前記磁気マーカの誤検出を低減できる。
図面の簡単な説明
［００１１］
［図１］車両用システムを示す説明図。
［図２］車両用システムの構成を示すブロック図。
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
車幅方向に複数の磁気センサが配列された車両側の磁気検出ユニットを用いて道路に敷設された磁気マーカを検出するマーカ検出方法であって、
車両の走行中に前記磁気検出ユニットが前記磁気マーカの真上に位置するに至ったか否かを判断することにより前記磁気マーカを検出すると共に、検出された磁気マーカに対する車両の横ずれ量を特定するマーカ検出処理と、
前記磁気マーカを検出したか否かに関わらず、前記磁気検出ユニットに作用する車幅方向の磁気分布の中心位置を特定すると共に、車両の走行に応じた前記中心位置の位置的な変化の度合いを表す指標を処理することで外乱となる磁気発生源の存在可能性を判定する判定処理と、を実施するマーカ検出方法。
【請求項２】
請求項１において、前記指標は、前記中心位置の位置的な変化量、あるいは車両の走行距離に対する前記変化量の比率を示す変化率であるマーカ検出方法。
【請求項３】
請求項１または２において、車両の操舵輪の舵角の変化度合いにより前記指標を補正するマーカ検出方法。
【請求項４】
請求項１〜３のいずれか１項において、車両に生じたヨーレイトにより前記指標を補正するマーカ検出方法。
【請求項５】
請求項１〜４のいずれか１項において、車両の操舵輪の舵角の変化度合いを表す値が所定の閾値未満であるとき、前記磁気発生源の存在可能性を判定するマーカ検出方法。
【請求項６】
請求項１〜５のいずれか１項において、車両に生じたヨーレイトの値が所定の閾値未満であるとき、前記磁気発生源の存在可能性を判定するマーカ検出方法。
【請求項７】
道路に敷設された磁気マーカを検出する車両用システムであって、
車幅方向に複数の磁気センサが配列された磁気検出ユニットと、
外乱となる磁気発生源の有無を判定する判定ユニットと、を有し、
請求項１〜６のいずれか１項のマーカ検出方法の実行により前記磁気発生源の存在可能性を判定する車両用システム。
【請求項８】
請求項７において、車両の運転を支援する制御を実行する制御ユニットを備え、該制御ユニットは、前記磁気発生源の存在可能性に応じて前記運転を支援する制御を実行するか否かを含めて制御の内容を切り替える車両用システム。
【手続補正２】
【補正対象書類名】明細書
【補正対象項目名】０００２
【補正方法】変更
【補正の内容】
【０００２】
車両の走行中に前記磁気検出ユニットが前記磁気マーカの真上に位置するに至ったか否かを判断することにより前記磁気マーカを検出すると共に、検出された磁気マーカに対する車両の横ずれ量を特定するマーカ検出処理と、
前記磁気マーカを検出したか否かに関わらず、前記磁気検出ユニットに作用する車幅方向の磁気分布の中心位置を特定すると共に、車両の走行に応じた前記中心位置の位置的な変化の度合いを表す指標を処理することで外乱となる磁気発生源の存在可能性を判定する判定処理と、を実施するマーカ検出方法にある。
［０００７］
本発明の一態様は、道路に敷設された磁気マーカを検出する車両用システムであって、
車幅方向に複数の磁気センサが配列された磁気検出ユニットと、
外乱となる磁気発生源の有無を判定する判定ユニットと、を有し、
上記のマーカ検出方法の実行により前記磁気発生源の存在可能性を判定する車両用システムにある。
発明の効果
［０００８］
例えば前記磁気マーカが敷設された車線に追従して車両が走行する場合には、前記磁気検出ユニットに作用する車幅方向の磁気分布の中心位置が一定に近くなると期待できる。そして、この場合には、この車幅方向の磁気分布の中心位置の位置的な変化がゼロに近くなると予測できる。本発明に係るマーカ検出方法は、このような知見に基づいて前記磁気マーカ以外の外乱となる磁気発生源の存在可能性を判定する方法である。
［０００９］
本発明に係るマーカ検出方法では、前記磁気検出ユニットに作用する車幅方向の磁気分布の中心位置の位置的な変化の度合いを表す指標を処理することで前記磁気発生源の存在可能性を判定する。そして、本発明に係る車両用システムは、このマーカ検出方法を実行することで前記磁気発生源の存在可能性を判定する。
［００１０］
本発明によれば、外乱となる前記磁気発生源の存在可能性を判定することで、前記磁気マーカの誤検出を低減できる。
図面の簡単な説明
［００１１］
［図１］車両用システムを示す説明図。
［図２］車両用システムの構成を示すブロック図。
【国際調査報告】
2018230423.tif 000018
2018230423.tif 000019
2018230423.tif 000020
2018230423.tif 000021